(57)【要約】      （修正有）【課題】少ない薬品の量で便器の排水管の内周面全体に容易に万遍なく薬剤を付着することができて効果的に尿石を除去できる排水管洗浄方法を提供する。【解決手段】各階に設置されている便器１０からの排水を横管２１に導き、横管２１から更に立本管２３に導いて排水する排水管２０の洗浄方法である。立本管２３に設けた掃除口２７より薬剤注入手段の薬剤散布用ノズルを挿入して各噴出孔から尿石軟化剤を散布することで、立本管２３の内壁面に固着した尿石に尿石軟化剤を付着させて尿石を軟化させる尿石軟化工程と、立本管２３内に中和剤を投入して尿石軟化剤を中和させる中和工程と、立本管２３に設けた掃除口２７より高圧水供給手段の高圧水噴射ノズルを挿入して高圧水を噴射させて立本管２３の内壁面を洗浄することで軟化した尿石を剥離する高圧水洗浄工程とを具備する。横管２１についても同様に洗浄を行う。【選択図】図１
2016061064.tif 000002
【特許請求の範囲】
【請求項１】
各階に設置されている便器からの排水を横管に導き、前記横管から更に立本管に導いて排水する排水管の洗浄方法であって、
薬剤散布用ホースの一端側に薬剤散布用ノズルを、他端側に薬剤供給用ポンプを接続し、前記薬剤散布用ノズルには周方向に複数の噴出孔を設けてなる薬剤注入手段と、
高圧洗浄用ホースの一端側に高圧水噴射ノズルを、他端側に高圧水供給用ポンプ設備を接続してなる高圧水供給手段と、を用意し、
前記立本管に設けた掃除口より前記薬剤散布用ノズルを挿入して各噴出孔から尿石軟化剤を散布することで、立本管の内壁面に固着した尿石に尿石軟化剤を付着させて尿石を軟化させる尿石軟化工程と、
前記尿石軟化工程の次に、前記立本管内に中和剤を投入して前記尿石軟化剤の中和を行う中和工程と、
前記中和工程の次に、前記立本管に設けた掃除口より前記高圧水噴射ノズルを挿入して高圧水を噴射させて立本管の内壁面を洗浄することで前記軟化した尿石を剥離する高圧水洗浄工程と、
を具備することを特徴とする排水管の洗浄方法。
【請求項２】
請求項１に記載の排水管の洗浄方法であって、
前記尿石軟化工程では、前記立本管に設けた掃除口より挿入した前記薬剤散布用ノズルの各噴出孔から尿石軟化剤を散布しながら階下方向に向けて移動していくことで、立本管の内壁面に固着した尿石に尿石軟化剤を付着させて尿石を軟化させ、
一方、前記高圧水洗浄工程では、前記立本管に設けた掃除口より挿入した前記高圧水噴射ノズルを所定位置まで下降し、その位置で前記高圧水噴射ノズルより高圧水を噴射させてそのまま立本管内を引き上げながら立本管の内壁面を洗浄していくことで前記軟化した尿石を剥離することを特徴とする排水管の洗浄方法。
【請求項３】
請求項２に記載の排水管の洗浄方法であって、
前記薬剤供給用ポンプは定量ポンプであり、前記薬剤散布用ノズルから尿石軟化剤を散布させながら階下方向に向けて移動している際の散布流量を常に一定に維持することを特徴とする排水管の洗浄方法。
【請求項４】
請求項１又は２又は３に記載の排水管の洗浄方法であって、
前記尿石軟化工程では、さらに、前記各横管の末端側より前記薬剤散布用ノズルを挿入して各噴出孔から尿石軟化剤を散布することで、各横管の内壁面に固着した尿石に尿石軟化剤を付着させて尿石を軟化させ、
一方前記高圧水洗浄工程では、さらに、前記尿石軟化剤を投入した後の各横管の末端側から前記高圧水噴射ノズルを挿入して横管の内壁面を洗浄することで前記軟化した尿石を剥離することを特徴とする排水管の洗浄方法。
【発明の詳細な説明】
【技術分野】
【０００１】
本発明は、便器の排水管内に固着する尿石を、容易且つ効果的に除去することができる排水管の洗浄方法に関するものである。
【背景技術】
【０００２】
従来、便器からの汚水系統排水管は、台所などの排水管系統と違い、排水管内への油脂分等の付着がないこと、洋式・和式便器（大）の１回の排水量が、１３Ｌ以上と多かったことなどから、定期的な高圧水洗浄（管内清掃）等のメンテナンスの必要性は低いと考えられていた。
【０００３】
しかしながら近年、複合施設物件（集合住宅、オフィス、飲食店舗等）の規模の大型化・高層化に伴って、排水管内に付着する尿石などの量が増大し、そのメンテナンス（尿石などの除去）の必要性が高くなってきた。
【０００４】
即ち、複合施設物件の規模の大型化によって、便器１基当たりの使用人数・量が増大し、これによって尿石などの付着量が増大している。また高層化に伴って、排水管内（特に立本管内）のドラフト現象（管の上下の気圧差等によって管内を気流が流れる現象）が増大し、排水管内を流れる気流の高速化によって排水管内が乾燥し易くなり、付着した汚水中のカルシウムイオンが尿石（カルシウム化合物）として固着し易くなっている。また環境対策やコスト削減のために、不純物の多い中水（雑用水道）を使用することによって、汚水中のカルシウムイオンが尿石になり易くなっている。さらに、技術革新によって、便器における洗浄水の１回当りの水量が少量化し（従来は１回の洗浄水量が１３Ｌ以上必要だったものが、近年では洋式便器（大）で６Ｌ以下で済むようになった）、その分、汚水中のカルシウム濃度が増加し、排水管内で尿石化し易くなっている。
【０００５】
一方従来、排水管内の尿石を除去する方法として、例えば特許文献１には、便器などから酸性薬剤を流し込み、便器に接続された横管（排水管）とこの横管に接続した立本管（排水管）に固着した尿石を軟化させ、所定時間経過後に、アルカリ性薬剤を同様に便器等から流し込んで前記酸性薬剤を中和させ、さらに所定時間経過後に高圧水洗浄を行うことで、前記軟化した尿石を剥ぎ取って除去する洗浄方法が開示されている。
【先行技術文献】
【特許文献】
【０００６】
【特許文献１】特開２０００−３４５６００号公報
【特許文献２】特開２００７−３１５１１４号公報
【発明の概要】
【発明が解決しようとする課題】
【０００７】
しかしながら上記特許文献１に示す洗浄方法には、以下のような問題があった。
（１）横管に付着した尿石について
便器に接続されている横管内における尿石の主な付着場所は、管内壁の左右両側面部分である。これは、管底面には汚水が流れて常に濡れているため尿石が付着しにくく、また管上面には汚水が付着しにくいので尿石が付着しにくいのに対して、管の左右両側面部分は汚水が付着し易いと同時に乾燥し易いからである。そして上記洗浄方法を用いて、便器などから酸性薬剤やアルカリ性薬剤を流し込むと、その多くは横管内の管底面上を流れていく。このため、薬剤を最も付着させたい管の左右両側面（さらに管上面）には薬剤が付着しにくく、このため十分な尿石除去効果が得られないという問題があった。
【０００８】
上記問題を解決するため、例えば特許文献２では、横管内の下流側の所定位置にバルーンを挿入し、そのバルーンを膨張させることで、横管内を閉塞した後に、前記バルーンに至る横管内に薬剤を満たし、これによって尿石を軟化させる方法が開示されている。この方法によれば、横管内の全面に薬剤を付着させることができるので、好適な尿石除去効果が得られる。しかしながらこの方法の場合、横管内に薬剤を満たさなければならないので、大量の薬剤が消費されてコスト増を招くばかりか、これらを排出した後の公共下水道及び建物内処理槽などでの処理負担も増大してしまう。
【０００９】
（２）立本管に付着した尿石について
立本管内においては、管の内壁面全体に略均一に尿石が付着する。そして、上述のように、便器などから流し込んだ酸性薬剤やアルカリ性薬剤が横管から立本管内に流れ込むと、管内に付着した尿石の内表面には、一般に水が流れる道（浅い凹部からなる水路）ができている場合が多く、この水路に沿って前記薬剤が流れていく。このため立本管の内周全面に付着した尿石全体に薬剤を付着させることができずに尿石の軟化ムラが生じ、このため十分な尿石除去効果が得られないという問題があった。軟化ムラが生じると、高圧水洗浄時に除去可能な箇所と不可能な箇所が発生してしまう。
【００１０】
上記問題を解決するため、例えば一度に大量の薬剤を立本管に流す方法も考えられる。薬剤を大量に流せば、立本管内の管壁に沿って薬剤が渦状に流れ、立本管の内周全面に付着した尿石全体に薬剤を付着させることができる。しかしながらこの方法の場合においても、大量の薬剤が必要になってコスト増を招くばかりか、これらを排出した後の公共下水道及び建物内処理槽などでの処理負担も増大してしまう。
【００１１】
ちなみにスケール化（硬化）した尿石は、ドライバーなどで管壁より除去しようとしても困難なまでに固着化しており、剥離できた場合でも大きな塊となって排水管を閉塞等してしまうため、薬品による万遍のない軟化と、高圧水による細かな塊への粉砕が必要である。
【００１２】
本発明は上述の点に鑑みてなされたものでありその目的は、少ない薬品の量で便器の排水管の内周面全体に容易に万遍なく薬剤を付着することができて効果的に尿石を除去することができる排水管洗浄方法を提供することにある。
【課題を解決するための手段】
【００１３】
本発明は、各階に設置されている便器からの排水を横管に導き、前記横管から更に立本管に導いて排水する排水管の洗浄方法であって、薬剤散布用ホースの一端側に薬剤散布用ノズルを、他端側に薬剤供給用ポンプを接続し、前記薬剤散布用ノズルには周方向に複数の噴出孔を設けてなる薬剤注入手段と、高圧洗浄用ホースの一端側に高圧水噴射ノズルを、他端側に高圧水供給用ポンプ設備を接続してなる高圧水供給手段と、を用意し、前記立本管に設けた掃除口より前記薬剤散布用ノズルを挿入して各噴出孔から尿石軟化剤を散布することで、立本管の内壁面に固着した尿石に尿石軟化剤を付着させて尿石を軟化させる尿石軟化工程と、前記尿石軟化工程の次に、前記立本管内に中和剤を投入して前記尿石軟化剤の中和を行う中和工程と、前記中和工程の次に、前記立本管に設けた掃除口より前記高圧水噴射ノズルを挿入して高圧水を噴射させて立本管の内壁面を洗浄することで前記軟化した尿石を剥離する高圧水洗浄工程と、を具備することを特徴としている。
本発明では、薬剤散布用ホースの一端側に取り付けた薬剤散布用ノズルを、立本管に設けた掃除口より挿入して薬剤散布用ノズルの周方向に複数設けた各噴出孔から尿石軟化剤を散布するので、立本管の内壁面全体に尿石軟化剤を容易且つ確実に付着させることができる。これによって、立本管の内壁面全体に付着している尿石全体を軟化させることができ、その後行われる高圧水洗浄工程によって、前記尿石全体を細かい塊として剥離し、容易に外部に排出することが可能になる。また散布される尿石軟化剤の量も最小限に抑えられるので、コストの低減化が図れるばかりか、これらを排出した後の公共下水道及び建物内処理槽などでの処理負担も軽減することができる。
また薬剤注入手段は、薬剤散布用ホースと薬剤散布用ノズルと薬剤供給用ポンプによって構成されていて、その構造が簡単なので、この点からも、コストの低減化を図ることができる。
【００１４】
また本発明は、前記尿石軟化工程では、前記立本管に設けた掃除口より挿入した前記薬剤散布用ノズルの各噴出孔から尿石軟化剤を散布しながら階下方向に向けて移動していくことで、立本管の内壁面に固着した尿石に尿石軟化剤を付着させて尿石を軟化させ、一方、前記高圧水洗浄工程では、前記立本管に設けた掃除口より挿入した前記高圧水噴射ノズルを所定位置まで下降し、その位置で前記高圧水噴射ノズルより高圧水を噴射させてそのまま立本管内を引き上げながら立本管の内壁面を洗浄していくことで前記軟化した尿石を剥離することを特徴としている。
本発明では、立本管内に挿入した薬剤散布用ノズルを、管上部から管下部に向けて移動しながら尿石軟化剤を散布する一方、立本管内に挿入した高圧水噴射ノズルは下方位置から引き上げながら立本管の内壁面を洗浄することとし、これによってより効果的でスムーズな尿石の軟化と除去を可能としている。
即ち、まず管上部に散布した尿石軟化剤は、管上部の内壁面全体に付着すると同時に、余剰の尿石軟化剤は下方に向かって垂れていく。つまり、薬剤散布用ノズルを管上部から管下部に向けて移動しながら尿石軟化剤を散布してゆけば、薬剤散布用ノズルによる尿石軟化剤の散布による付着に先駆けて、上から垂れてくる尿石軟化剤が付着し、尿石の表面を湿潤化した後に、薬剤散布用ノズルから噴射された尿石軟化剤が前記尿石表面に叩き付けられ、この噴射力によって細かい凹凸のある尿石の表面の深い部分（細かい凹凸の内部）までさらに尿石軟化剤を付着させることができる。
一方、前記尿石の軟化した部分は、高圧水洗浄工程における高圧水の衝撃によって細かい塊になって剥ぎ取られるが、本発明では、高圧水の噴射を立本管の下降した位置から上方に向かって行うので、下流側の尿石から順次細かい塊となって剥ぎ取られていくことになる。一方、軟化している尿石を上方から下方に向かって高圧水で剥ぎ取っていくと、軟化はしているがまだ高圧水による衝撃が印加されていない、衝撃を加えている位置よりも下側の尿石が振動などによって大きな塊のまま剥ぎ取られてしまう恐れがある。大きな塊で剥ぎ取られて落下した尿石は、立本管を閉塞する恐れがある。本発明によれば、このような問題が生じ難く、これによって上述のように、より効果的でスムーズな尿石の軟化と除去を可能としている。
さらに本発明によれば、立本管内に挿入した薬剤散布用ノズルを、管上部から管下部に向けて移動しながら尿石軟化剤を散布するので、前記立本管の下方に付着している尿石ほど、垂れてくる尿石軟化剤の量が増え、このため、より多くの尿石軟化剤が付着することになり、尿石をより厚く軟化させることができる。一方一般に尿石の厚みは下方に行くほど厚いが、本発明によれば、厚い部分ほど尿石軟化剤の付着量を多くできるので、管の上下にわたって厚みに応じた尿石の軟化を行うことができ、後の高圧水洗浄工程において厚みの厚い下方の尿石ほど、より厚くこれを除去することができる。
【００１５】
また本発明は、前記薬剤供給用ポンプが定量ポンプであり、前記薬剤散布用ノズルから尿石軟化剤を散布させながら階下方向に向けて移動している際の散布流量を常に一定に維持することを特徴としている。
薬剤供給用ポンプとして通常のポンプを用いると、立本管内に挿入した薬剤散布用ノズルが下方に移動すればするほど、薬剤供給用ポンプによる吐出圧力に加えて、薬剤散布用ホース内の液柱による圧力が薬剤散布用ノズルに加わり、散布される尿石軟化剤の流量が増えてしまい、無駄に吐出してしまう。そこで本発明では、薬剤供給用ポンプとして定量ポンプ（定流量ポンプ）を用い、薬剤散布用ノズルの立本管内での位置に係わらず、散布する尿石軟化剤の散布流量を常に一定に維持することとし、これによって、尿石軟化剤が無駄に散布されることを防止できる。
この発明は、薬剤散布用ノズルを、管上部から管下部に向けて移動しながら尿石軟化剤を散布することとした上記発明と共に用いることで、より少ない（より無駄のない）尿石軟化剤で、より効果的に尿石の軟化・除去を行うことができる。
【００１６】
また本発明は、前記尿石軟化工程では、さらに、前記各横管の末端側より前記薬剤散布用ノズルを挿入して各噴出孔から尿石軟化剤を散布することで、各横管の内壁面に固着した尿石に尿石軟化剤を付着させて尿石を軟化させ、一方前記高圧水洗浄工程では、さらに、前記尿石軟化剤を投入した後の各横管の末端側から前記高圧水噴射ノズルを挿入して横管の内壁面を洗浄することで前記軟化した尿石を剥離することを特徴としている。
薬剤散布用ホースの一端側に取り付けた薬剤散布用ノズルを、横管の末端側より挿入して薬剤散布用ノズルの周方向に複数設けた各噴出孔から尿石軟化剤を散布するので、横管の内壁面全体（特に左右両側面と上面）に尿石軟化剤を容易且つ確実に付着させることができる。これによって、横管の内壁面全体に付着している尿石全体を軟化させることができ、その後行われる高圧水洗浄工程によって、前記尿石全体を細かい塊として剥離し、容易に下流方向に排出することが可能になる。また散布される尿石軟化剤の量も最小限に抑えられるので、コストの低減化が図れるばかりか、これらを排出した後の公共下水道及び建物内処理槽などでの処理負担も減少させることができる。
即ち、上記立本管だけでなく、横管についても、薬剤散布用ノズルを用いて管の内壁面に尿石軟化剤を散布すれば、本発明の効果を、より発揮させることができる。
【００１７】
また本発明は、前記中和工程では、前記立本管に設けた掃除口より前記薬剤散布用ノズルを挿入して各噴出孔から中和剤を散布することによって、立本管の内壁面に固着した尿石に付着させた尿石軟化剤の中和を行うことを特徴としている。
中和剤の立本管内への散布も、前記薬剤散布用ノズルを用いて行えば、立本管の内壁面に固着した尿石全面に付着させた尿石軟化剤を、その全面において中和させることができる。尿石軟化剤は強酸性なので、中和工程の後に行う高圧水洗浄工程において高圧水噴射ノズルを立本管内に挿入した時に前記尿石軟化剤に触れると、錆などの原因になるが、本発明を用いて前記尿石軟化剤を完全に中和することで、このような問題を防止することができる。
【発明の効果】
【００１８】
本発明にかかる排水管洗浄方法によれば、少ない薬品の量で便器の排水管の内周面全体に容易に万遍なく薬剤を付着することができて効果的に尿石を除去することができる。
【図面の簡単な説明】
【００１９】
【図１】高層ビルの各階に設置された小便器１０に接続された排水管２０の一設置例を示す概略図である。
【図２】薬剤注入手段３０の一例を示す概略図である。
【図３】ノズル３３の拡大側面図である。
【図４】高圧水供給手段５０の一例を示す概略図である。
【図５】排水管２０の管内壁に付着した尿石を洗浄する洗浄方法工程図である。
【図６】立本管２３における尿石軟化剤の散布状態を示す図である。
【図７】横管２１における尿石軟化剤の散布状態を示す図である。
【発明を実施するための形態】
【００２０】
以下、本発明の実施形態を図面を参照して詳細に説明する。
図１は高層ビルの各階に設置された小便器１０に接続された排水管２０の一設置例を示す概略図である。同図に示すように、小便器１０は、各階の男性用のトイレ内に設置されている。図１では、１９階、１８階、１１階の小便器１０を示している。そして各階の各小便器１０は横管（横枝管又は横主管）２１に接続され、また各階の横管２１は、立本管２３に接続されている。横管２１の末端（立本管２３から離れた側の端部）には、掃除口２５が設けられている。また立本管２３には、所定階毎（この例では１９階と１１階）に、掃除口２７が設けられている。掃除口２７はその階の横管２１を接続した部分近傍に設けられている。またこの例の場合、立本管２３の下部（例えば１階）において屈曲しており、この屈曲部分ａ１近傍にカメラ挿入口２９を設けている。掃除口２５，２７とカメラ挿入口２９は、通常は蓋によって閉鎖されている。小便器１０に排出された尿は、各階の横管２１に集められた後、立本管２３に集められ、立本管２３内を下方に向かって移送される。この例で示した排水管２０（横管２１と立本管２３全体）は、男性用の小便器専用の排水管であり、この排水管２０は、男性・女性用の洋式・和式便器に接続されている別系統の排水管に、その下流側で接続され、ビルの地下などに設置されている汚水槽に集められる（または建物外部の公共汚水管に接続される）。なお、大小便器の排水系統を別々にせず、上記横管２１に小便器１０の他に男性・女性用の洋式・和式便器からの排水を合流させても良い。さらに横管２１にはトイレに設置した手洗い・化粧用の洗面からの排水を合流させても良い。
【００２１】
図２は本発明で用いる薬剤注入手段３０の一例を示す概略図である。同図に示すように薬剤注入手段３０は、薬剤散布用ホース（以下単に「ホース」という）３１の一端側に薬剤散布用ノズル（以下単に「ノズル」という）３３を取り付け、他端側に薬剤供給用定量ポンプ（以下単に「定量ポンプ」という）３５を接続して構成されている。定量ポンプ３５はモータ３７によって駆動され、タンク３９内に貯留している薬剤（尿石軟化剤や中和剤等）を、ホース３１を通してノズル３３に圧送する。定量ポンプ３５によって圧送される薬液の流量は、常に一定である。
【００２２】
図３は前記ノズル３３の拡大側面図である。同図に示すようにノズル３３は、円筒状のノズル本体３３１の先端（図３では左端）に閉塞部３３３を設けてノズル本体３３１の先端を塞ぎ、一方閉塞部３３３近傍のノズル本体部３３１の外周側面に周方向に向かって等間隔に、且つ前後に２列、複数個ずつの噴出孔３３５を設けて構成されている。従って、ノズル本体３３１の閉塞部３３３を設けた反対側の端部に接続したホース３１から薬液を圧入すると、各噴出孔３３５からノズル本体３３１の周方向に向けて薬液が噴出することになる。
【００２３】
図４は本発明で用いる高圧水供給手段５０の一例を示す概略図である。同図に示すように高圧水供給手段５０は、高圧洗浄用ホース５１の一端側に高圧水噴射ノズル（以下単に「ノズル」という）５３を取り付け、他端側に高圧水供給用ポンプ設備（以下単に「ポンプ設備」という）５５を接続して構成されている。高圧水の水源としては、例えば水道水を用いる。ノズル５３としてこの例では、高圧水の圧力を用いて回転しながら高圧水を周方向に噴出する回転ノズルを用いているが、他の各種ノズルを用いても良い。ポンプ設備５５は、この例では車両５７に載せて移動可能に構成されている。なお、前記薬剤注入手段３０は、人力でも移動可能な大きさであるが、高圧水供給手段５０は車両に載せる大型の装置である。
【００２４】
図５は前記薬剤注入手段３０と高圧水供給手段５０を用いて、前記排水管２０の管内壁に付着した尿石を洗浄する（取り除く）方法の一例を示す洗浄方法工程図である。以下同図を用いて排水管２０の洗浄方法を説明する。ここでは図１に示す１１階から１階までの排水管２０の洗浄が終了した後の、１９階から１２階までの排水管２０の洗浄方法を中心に説明する。同図に示すように、この洗浄方法は、尿石軟化工程と、中和工程と、真水洗浄工程と、高圧水洗浄工程から構成される。
【００２５】
〔尿石軟化工程〕
まず、図２に示す薬剤注入手段３０のタンク３９内に尿石軟化剤を貯留しておく。尿石軟化剤としてこの例では、劇薬酸性液からなる商品名「デオライトＳＰ」を使用する。次に１９階にある立本管２３の掃除口２７から薬剤注入手段３０のノズル３３を挿入する（ステップＳＴ１）。次に、定量ポンプ３５を起動して、ノズル３３の各噴出孔３３５から前記尿石軟化剤を散布しながら、このノズル３３を立本管２３の下方に向かって等速度で下降させていく（ステップＳＴ２）。
【００２６】
図６はこのときの尿石軟化剤の散布状態を示す図である。立本管２３においては、上述のように、管内壁の全面に略均等に尿石２９が付着している。そして図６に矢印で示すように、尿石軟化剤は、ノズル３３の各噴出孔３３５から放射状に散布されるので、立本管２３の内周面に略均等に固着している尿石２９の内周全面に容易且つ確実に均等に散布し付着させることができる。これによって立本管２３の内壁面全体に付着している尿石２９全体に尿石軟化剤が浸潤し、軟化させることができるばかりか、散布される尿石軟化剤の量も最小限に抑えられるので、コストの低減化が図れ、またこれらを排出した後の公共下水道及び建物内処理槽などでの処理負担も減少させることができる。また立本管２３の上部において散布された尿石軟化剤は、立本管２３の上部の尿石２９の内壁面の全体に付着すると同時に、余剰の尿石軟化剤は下方に向かって垂れていく。つまり、ノズル３３を立本管２３の上部から下部に向けて移動しながら尿石軟化剤を散布してゆけば、ノズル３３による尿石軟化剤の散布に先駆けて、上から垂れてくる尿石軟化剤が付着し、尿石２９の表面を湿潤化した後に、ノズル３３から噴射された尿石軟化剤が前記尿石２９表面に叩き付けられ、この噴射力によって細かい凹凸のある尿石２９の深い部分（細かい凹凸の内部）までさらに尿石軟化剤を付着させることができる。
【００２７】
さらにこの例のように、立本管２３内に挿入したノズル３３を、管上部から管下部に向けて移動しながら尿石軟化剤を散布すれば、立本管２３の下方に付着している尿石ほど、垂れてくる尿石軟化剤の量が増えるので、より多くの尿石軟化剤が付着することになり、尿石をより厚く軟化させることができる。一方一般に尿石２９の厚みは下方に行くほど厚いが、この例によれば、厚い部分ほど尿石軟化剤の付着量を多くできるので、立本管２３の上下にわたって厚みに応じた尿石の軟化を行うことができる。
【００２８】
さらに、前記定量ポンプ３５の代りに通常のポンプを用いると、立本管２３内に挿入したノズル３３が下方に移動すればするほど、ポンプによる吐出圧力に加えて、ホース３１内の液柱による圧力がノズル３３に加わり、散布される尿石軟化剤の流量が増えてしまい、無駄に吐出してしまう。そこでこの例では、ポンプとして定量ポンプ３５を用い、ノズル３３の立本管２３内での位置に係わらず、散布する尿石軟化剤の散布流量を常に一定に維持することとし、これによって、尿石軟化剤が無駄に散布されることを防止した。つまりこの例では、ノズル３３を、管上部から管下部に向けて移動しながら尿石軟化剤を定量ずつ散布することで、より少ない（より無駄のない）尿石軟化剤で、より効果的に尿石の軟化・除去を行っている。
【００２９】
そして、ノズル３３の下降を１１階にある掃除口２７付近（即ちこの例の場合の最下降位置）まで行い、前記定量ポンプ３５を停止し、ノズル３３を引き上げ、１９階の掃除口２７から引き出す。
【００３０】
なお立本管２３内に固着した尿石の量が多いような場合は、さらにノズル３３を引き上げる際にも尿石軟化剤を散布しても良い。
【００３１】
次に、１９階にある横管２１の末端側の掃除口２５から薬剤注入手段３０のノズル３３を挿入する（ステップＳＴ３）。次に、定量ポンプ３５を起動して、ノズル３３の各噴出孔３３５から尿石軟化剤を散布しながら、横管２１の奥方向（立本管２３方向、先端方向）に向かって押し込んでいく（ステップＳＴ４）。
【００３２】
図７はこのときの尿石軟化剤の散布状態を示す図である。横管２１においては、上述のように、管内壁の左右両側面に尿石２９が多く付着している。そして図７に示すように、ノズル３３は管底上を移動していくが、噴出孔３３５はノズル３３の外周全面に設けられているので、その左右両側面と上面にも散布される。上面に散布された尿石軟化剤は、その後左右側面を通って管底側に流下するため、左右両側面にはより多くの尿石軟化剤が供給され、より効果的に左右両側部分の尿石２９が軟化される。これによって横管２１の内壁面全体（特に左右両側壁）に付着している尿石２９を効果的に軟化させることができるばかりか、散布される尿石軟化剤の量も最小限に抑えられるので、コストの低減化が図れ、またこれらを排出した後の公共下水道及び建物内処理槽などでの処理負担も減少させることができる。
【００３３】
そして、ノズル３３の押し込みを立本管２３に到達するまで行い、前記定量ポンプ３５を停止し、ノズル３３を引いて、１９階の掃除口２５から引き出す。なお、横管２１内に固着した尿石の量が多い場合は、ノズル３３を引き出す際にも尿石軟化剤を散布しても良い。上記操作を１８階の横管２１から１２階の横管２１まで順に行う。これによって尿石軟化工程が終了する。
【００３４】
〔中和工程〕
上記尿石軟化工程が終了して所定時間（例えば１時間）経過した後、中和工程を行う。即ちまず、薬剤注入手段３０のタンク３９を、中和剤を貯留したものに入れ替える。中和剤としてこの例では、劇薬アルカリ性の排水管洗浄剤である商品名「ピーピースルーＫ」を使用する。次に１９階にある立本管２３の掃除口２７から薬剤注入手段３０のノズル３３を挿入する（ステップＳＴ５）。次に、定量ポンプ３５を起動して、ノズル３３の各噴出孔３３５から前記中和剤を散布しながら、立本管２３の下方に向かって等速度で下降させていく（ステップＳＴ６）。これによって、上記図６で説明した尿石軟化剤の場合と同様に、中和剤は、立本管２３の内周面全体に付着している尿石軟化剤に均等に且つ確実に散布されこれを中和することができる。同時に散布される中和剤の量は最小限に抑えられるので、コストの低減化が図れる。そして、ノズル３３の下降を１１階にある掃除口２７付近（即ちこの例の場合の最下降位置）まで行い、前記定量ポンプ３５を停止し、ノズル３３を引き上げ、１９階の掃除口２７から引き出す。
【００３５】
次に、１９階にある横管２１の掃除口２５から薬剤注入手段３０のノズル３３を挿入する（ステップＳＴ７）。次に、定量ポンプ３５を起動して、ノズル３３の各噴出孔３３５から前記中和剤を散布しながら、横管２１の奥方向（立本管２３方向、先端方向）に向かって押し込んでいく（ステップＳＴ８）。これによって、上記図７で説明した尿石軟化剤の場合と同様に、ノズル３３は管底上を移動していくが、噴出孔３３５はノズル３３の外周全面に設けられているので、中和剤は、横管２１の左右両側面と上面にも散布される。これによって横管２１の内壁面全体に付着している尿石軟化剤を均等且つ確実に中和することができるばかりか、散布される中和剤の量も最小限に抑えられるので、コストの低減化が図れる。そして、ノズル３３の押し込みを立本管２３に到達するまで行い、前記定量ポンプ３５を停止し、ノズル３３を引いて、１９階の掃除口２５から引き出す。上記操作を１８階の横管２１から１２階の横管２１まで順に行う。これによって中和工程が終了する。
【００３６】
この例のように、中和剤の立本管２３と各横管２１内への散布も、前記薬剤散布用のノズル３３を用いて行えば、立本管２３と各横管２１に固着した尿石２９に付着させた尿石軟化剤を、その全面において効率的に中和させることができるので好適である。尿石軟化剤は強酸性なので、以下で行う高圧水洗浄工程において高圧水噴射用のノズル５３を立本管２３や各横管２１内に挿入した時に、ノズル５３が前記尿石軟化剤に触れると、錆などの原因となるが、この中和工程を用いて前記尿石軟化剤を完全に中和すれば、このような問題を防止することができる。
【００３７】
〔真水洗浄工程〕
上記中和工程が終了した後、真水洗浄工程を行う。即ちまず、真水（水道水等）を、１９階にある立本管２３の掃除口２７からそのまま投入し、これを真水洗浄する（ステップＳＴ９）。次に、１９階から１２階にある各横管２１の掃除口２５からそれぞれ真水をそのまま投入し、これらを真水洗浄する（ステップＳＴ１０）。これによって中和した立本管２３の内壁面と各横管２１の内壁面から中和後の薬剤を洗浄する。これによって真水洗浄工程が終了する。ここで真水洗浄を行うのは、この後の高圧水洗浄工程において高圧洗浄用のノズル５３を立本管２３や横管２１に挿入した際に、中和が完全に行われていない部分（強酸性の尿石軟化剤や強アルカリ性の中和剤がそのまま残っている部分）に触れ、このノズル５３を傷める恐れを確実になくすためである。従って、ノズル５３を傷める恐れがないような場合は、この真水洗浄工程は省略しても良い。
【００３８】
〔高圧水洗浄工程〕
上記真水洗浄工程が終了した後（真水洗浄工程を省略した場合は上記中和工程が終了した後）、高圧水洗浄工程を行う。即ちまず、１９階にある立本管２３の掃除口２７から高圧水供給手段５０のノズル５３を挿入し、１１階の掃除口２７付近（即ちこの例の場合の最下降位置）まで下降する（ステップＳＴ１１）。次に、起動したポンプ設備５５の高圧水をノズル５３に供給して、ノズル（回転ノズル）５３から高圧水を３６０°の方向に向けて噴射しながら、立本管２３の上方に向かって上昇させていく（ステップＳＴ１２）。これによって、高圧水は、立本管２３の内周面の軟化している尿石表面に強く叩き付けられ、前記軟化した尿石全体が下側から粉砕、剥離、除去され、細かい塊として、洗浄水と共に下方に排出されていく。そして、ノズル５３を１９階の掃除口２７付近（即ちこの例の場合の最上昇位置）まで移動し、前記ポンプ設備５５からの高圧水の供給を停止し、ノズル５３を１９階の掃除口２７から引き出す。
【００３９】
次に、１２階にある横管２１の掃除口２５からノズル５３を挿入し、ノズル５３を最も奥側の位置である、立本管２３との接続部分まで挿入する（ステップＳＴ１３）。次に、ポンプ設備５５からの高圧水を供給して、ノズル５３から高圧水を３６０°の方向に向けて噴射しながら、横管２１の手前方向（掃除口２５方向）に向かって引っ張っていく（ステップＳＴ１４）。これによって、高圧水は、横管２１の内周面の軟化している尿石表面に強く叩き付けられ、前記軟化した尿石全体が奥側（先端側）から粉砕、剥離、除去され、細かい塊として、洗浄水と共に立本管２３内に排出されていく。そして、ノズル５３を１２階の掃除口２５付近まで移動し、前記ポンプ設備５５からの高圧水の供給を停止し、ノズル５３を１２階の掃除口２５から引き出す。上記操作を１３階の横管２１から１９階の横管２１まで順に行う。これによって高圧水洗浄工程が終了する。
【００４０】
前記尿石の軟化した部分は、高圧水の衝撃によって細かい塊になって剥ぎ取られるが、この例では、高圧水の噴射を立本管２３の下降した位置から上方に向かって行う（または横管２１を立本管２３側から手前に向かって行う）ので、下流側の尿石から順次細かい塊となって剥ぎ取られていくことになる。なお、下流側から上流側に向けて高圧水を噴射していく際に、まだ高圧水を噴射していない上流側部分の尿石が大きな塊となって落下しても、落下した尿石にはその後必ず高圧水が噴射されるので、小さな塊となる。一方、仮に、軟化している尿石を上流側から高圧水で剥ぎ取っていくと、軟化はしているがまだ高圧水による衝撃が印加されていない、衝撃を加えている位置よりも下流側の尿石が振動などによって大きな塊のまま剥ぎ取られてしまう恐れがある。大きな塊で剥ぎ取られて落下した尿石は、立本管２３を閉塞する恐れがある。この例によれば、このような問題が生じ難く、より効果的でスムーズに尿石を除去していくことが可能になる。
【００４１】
上記作業が終了した後、さらに上階があるときは、上階についても上記と同様の洗浄作業を行っていく。
【００４２】
以上説明したようにこの例によれば、立本管２３内に挿入した薬剤散布用のノズル３３を、管上部から管下部に向けて移動しながら尿石軟化剤を放射状に散布することによって立本管２３の内壁面全体に付着している尿石２９全体を軟化させることができるばかりか、散布される尿石軟化剤の量も最小限に抑えられ、且つ余剰の尿石軟化剤は下方に垂れていくことを利用して、より効果的に尿石の軟化を進めることができ、一方、立本管２３内に挿入した高圧水噴射用のノズル５３を、最も下降した位置から引き上げながら立本管２３の内壁面を洗浄することとすることで、軟化した尿石を細かい塊として剥ぎ取ることができて排水管を詰まらせることもなくなる。つまり上記尿石軟化工程と高圧水洗浄工程の両工程によって、相乗的に効果的でスムーズな尿石の軟化と除去が行える。
【００４３】
ところで、上記高圧洗浄によって細かい塊として立本管２３の下流側に移送された尿石は、例えば図１に示す屈曲部分ａ１に溜まってこれを塞いでしまう恐れがある。この問題を解消するため、例えば屈曲部分ａ１近傍に設置したカメラ挿入口２９から管内監視カメラ（ケーブル先端にカメラを設置した構造のもの）を挿入して前記屈曲部分ａ１の内部を監視しながら、上記高圧水洗浄工程を行う。そして前記屈曲部分ａ１内に尿石の塊が一定量以上溜まったことを検出すると、屈曲部分ａ１の下流側からこの排水管２０内に上記と同様の高圧水供給手段５０の別のノズル５３を挿入して屈曲部分ａ１内まで移動し、ノズル５３から高圧水を噴射させ、これによって前記屈曲部分ａ１内の尿石の塊をその下流側に押し流す。このように構成すれば、立本管２３の下流側に屈曲部分ａ１があるような場合でも、屈曲部分ａ１に剥離した尿石が溜まることなく、スムーズに高圧水洗浄工程を行うことができる。なお、管内監視カメラは、排水管２０の下流側から屈曲部分ａ１近傍まで挿入することでこの部分を監視させても良い。
【００４４】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記例では、中和工程においても薬剤散布用ノズルを用いて中和剤を散布したが、場合によっては、中和工程では薬剤散布用ノズルを用いず、直接、タンクなどに貯蔵した中和剤を立本管内や横管内に流し込むことで尿石軟化剤の中和を行っても良い。このように構成すると、薬剤散布用ノズルを用いたときのような確実な中和は行えないが、高圧水噴射ノズルが尿石軟化剤の多少の付着を許容できるような場合は、作業の簡易化を図る上で有効である。また薬液散布用ノズルの形状や構造は種々の変更が可能であり、要は、周方向に複数の噴出孔を設けてなる薬液散布用ノズルであれば、どのような構成であっても良い。また上記例では、小便器専用の排水管について説明したが、洋式・和式便器（大）用の排水管等にも同様に適用できる。また上記例では、横管の末端側にある掃除口より薬剤散布用ノズル等を挿入したが、例えば横管の末端側（最上手）にある便器を撤去してその排水口などから前記ノズル等を挿入しても良い。また上記例では、各工程において、立本管を洗浄した後に各横管を洗浄したが、逆に、各横管を洗浄した後に立本管を洗浄しても良い。
【符号の説明】
【００４５】
１０  小便器（便器）
２０  排水管
２１  横管（排水管）
２３  立本管（排水管）
２５  掃除口
２７  掃除口
２９  カメラ挿入口
３０  薬剤注入手段
３１  ホース（薬剤散布用ホース）
３３  ノズル（薬剤散布用ノズル）
３３５  噴出孔
３５  定量ポンプ（薬剤供給用定量ポンプ、薬剤供給用ポンプ）
３７  モータ
３９  タンク
５０  高圧水供給手段
５１  高圧洗浄用ホース
５３  ノズル（高圧水噴射ノズル）
５５  ポンプ設備（高圧水供給用ポンプ設備）
【図１】
2016061064.tif 000003
【図２】
2016061064.tif 000004
【図３】
2016061064.tif 000005
【図４】
2016061064.tif 000006
【図５】
2016061064.tif 000007
【図６】
2016061064.tif 000008
【図７】
2016061064.tif 000009